(57)【特許請求の範囲】
【請求項１】
着用者の腹側に配される腹側部及び背側に配される背側部とそれらの間に位置する股下部とを有すると共に、該腹側部から該股下部を介して該背側部に延びる縦方向とこれに直交する横方向とを有し、且つ吸収性本体と、該吸収性本体の非肌対向面側に配されて該吸収性本体を固定している外包体とを備え、前記腹側部及び前記背側部それぞれにおける該外包体の縦方向に沿う両側縁部どうしが接合されて一対のサイドシール部、ウエスト開口部及び一対のレッグ開口部が形成されているパンツ型使い捨ておむつであって、
前記外包体に、相対的に色の薄い淡色部と相対的に色の濃い濃色部とを含んで構成される図柄が、少なくとも該外包体の肌対向面側から視認可能に付されており、該図柄は、前記おむつの外側からも視認可能であり、
前記吸収性本体の縦方向に沿う両側縁のうちの少なくとも一方の側縁の近傍において、前記淡色部と前記濃色部とが該一方の側縁に沿って交互に配され、且つ隣り合う該淡色部と該濃色部とで、該一方の側縁の延びる方向に沿った長さを比べた場合に、該濃色部の方が該淡色部よりも該長さが長いパンツ型使い捨ておむつ。
【請求項２】
前記図柄は、一方向に延びる第１直線と該一方向に交差する方向に延びる第２直線とをそれぞれ複数含むと共に、両直線の交差部を複数含み、
前記吸収性本体の側縁の近傍において、複数の前記交差部それぞれの角部が該側縁に沿って並んでいる請求項１に記載のパンツ型使い捨ておむつ。
【請求項３】
前記第１直線は縦方向に、前記第２直線は横方向にそれぞれ延びている請求項２に記載のパンツ型使い捨ておむつ。
【請求項４】
前記第１直線及び前記第２直線は、それぞれ、縦方向及び横方向の両方向に交差する方向に延びている請求項２に記載のパンツ型使い捨ておむつ。
【請求項５】
前記吸収性本体の側縁の近傍に配された前記図柄において、縦方向に隣り合う前記淡色部と前記濃色部とを基本図柄要素と画定したとき、該基本図柄要素が該側縁に沿って複数連なるように配されており、該側縁の近傍に位置する該基本図柄要素の数が１０個以上１５個以下である請求項１〜４の何れか一項に記載のパンツ型使い捨ておむつ。
【請求項６】
前記外包体は、着用者の身体から遠い側に位置する外層シートと着用者の身体に近い側に位置する内層シートとを含んで構成され、該内層シートの非肌対向面に前記図柄が付されている請求項１〜５の何れか一項に記載のパンツ型使い捨ておむつ。
【請求項７】
前記外包体全面に前記図柄が付されている請求項１〜６の何れか一項に記載のパンツ型使い捨ておむつ。
【発明の詳細な説明】
【技術分野】
【０００１】
本発明は、吸収性本体とこれを固定する外包体とを備え、該外包体に図柄が付されているパンツ型使い捨ておむつに関する。
【背景技術】
【０００２】
従来、パンツ型使い捨ておむつとして、吸収体を含んで構成される吸収性本体と、該吸収性本体の非肌対向面側に配されて該吸収性本体を固定している外包体とを備え、且つ前身頃及び後見頃それぞれにおける外包体の左右両側縁どうしが接合されて一対のサイドシール部、ウエスト開口部及び一対のレッグ開口部が形成されているものが知られている。また、このようなパンツ型使い捨ておむつの中には、種々の図柄が外部から視認可能に付されたものがある。
【０００３】
例えば特許文献１には、本体バックシート（外包体）の非肌対向面側全域に、外部から認識できるカラーデザインが印刷されたパンツ型使い捨ておむつが記載されている。この本体バックシートは、内面用バックシート不織布と外面用バックシート不織布とがホットメルト接着剤によって貼り合わされて構成されており、前記カラーデザインは、該外面用バックシート不織布の外面（非肌対向面）又は内面（肌対向面）に印刷されている。特許文献１には前記カラーデザインとして、白色（外面用バックシート不織布の地色）と水色などの他の色とを交互に配列してなる、いわゆる市松模様の他、波形、水玉、雲形、星形、格子などの単一模様を連続して複数列に配置し且つ各模様に１色以上の適当なカラーを付したものが記載されている。特許文献１の図４及び図５によれば、この市松模様における白色と他の色とは、形状、大きさが互いに同じである。特許文献１によれば、このようなカラーデザインが付されたおむつは、ファッション性が高く、下着感覚で着用できるとされている。
【０００４】
また特許文献２にも、外包体を構成する複数のシートのうちの一部の内面（他のシートとの対向面）にデザインが印刷形成されたパンツ型使い捨ておむつが記載されている。特許文献２には前記デザインとして、おむつ長手方向に沿った互いに平行な複数本の直線とおむつ幅方向に沿った互いに平行な複数本の直線とを含む、格子模様のデザインが記載されており、この格子模様のデザインは、外包体の略全体に印刷形成されている。特許文献２の図１及び図２によれば、この格子模様のデザインにおいては、直線の幅よりも、該直線に包囲された非印刷部の幅の方が大きい。特許文献２によれば、このようなデザインが付されたおむつは、おむつ外部からのデザインの視認性に優れ、また、該デザインが格子模様の場合は、吸収体や後処理テープの外包体に対する位置ずれの有無やずれ量を、製造時のサンプリングテスト時において、目視で知ることができるとされている。
【先行技術文献】
【特許文献】
【０００５】
【特許文献１】特開２００３−７０８３８号公報
【特許文献２】特開２００４−２０８８３６号公報
【発明の概要】
【発明が解決しようとする課題】
【０００６】
従来汎用されているパンツ型使い捨ておむつの色は、吸収性本体及びこれを固定する外包体共に白色であるため、一見しただけでは吸収性本体と外包体との区別が付きにくく、そのため、おむつ着用時に吸収性本体が着用者の身体に対して適切な位置に配置されているかの確認や、吸収性本体の位置の調整が難しい。例えばおむつ着用時には、排泄物の漏れを未然に防止するため、着用中のおむつの前身頃のウエスト部を引っ張って、該ウエスト部と着用者の身体との間に隙間を設け、その隙間からおむつ内部の状態を目視観察して、吸収性本体が着用者の排尿部に対応していることを確認する場合があるが、吸収性本体と外包体との区別が付きにくいと、その確認や、吸収性本体が排尿部に対してずれていた場合の位置調整が困難になる。
【０００７】
また従来、尿等の排泄物の処理に伴う経済的、労力的な負担の軽減を目的として、使い捨ておむつにおける吸収性本体上に、おむつとは別体の吸収性パッドを配置して使用することが行われている。このような使用形態において、吸収性パッドと重ね合わされるおむつにおける吸収性本体と外包体との区別が目視で確認し難いと、吸収性パッドを適切な位置に配置するための位置合わせや、吸収性パッドの位置調整が困難になる。吸収性パッドの配置にズレが生じたまま使用してしまうと、排泄物が吸収性パッドで吸収保持されずにおむつの外部に漏れ出すことが懸念される。
【０００８】
特許文献１及び２記載のパンツ型使い捨ておむつは、外包体に付されたデザインが外部から視認可能になされているため、従来汎用されている、全体が白色のおむつに比して、外観が良好で下着感覚で着用できるという利点を有しているが、前述した、「吸収性本体と外包体とで区別が付きにくい」という課題に対応したものではない。外観が良好で、且つ着用者の身体に対する位置合わせや吸収性パッドの位置合わせが容易に行えるパンツ型使い捨ておむつは未だ提供されていない。
【０００９】
従って本発明の課題は、外観が良好で、且つ着用者の身体に対する位置合わせや吸収性パッドの位置合わせが容易に行えるパンツ型使い捨ておむつに関する。
【課題を解決するための手段】
【００１０】
本発明は、着用者の腹側に配される腹側部及び背側に配される背側部とそれらの間に位置する股下部とを有すると共に、該腹側部から該股下部を介して該背側部に延びる縦方向とこれに直交する横方向とを有し、且つ吸収性本体と、該吸収性本体の非肌対向面側に配されて該吸収性本体を固定している外包体とを備え、前記腹側部及び前記背側部それぞれにおける該外包体の縦方向に沿う両側縁部どうしが接合されて一対のサイドシール部、ウエスト開口部及び一対のレッグ開口部が形成されているパンツ型使い捨ておむつであって、
前記外包体に、相対的に色の薄い淡色部と相対的に色の濃い濃色部とを含んで構成される図柄が、少なくとも該外包体の肌対向面側から視認可能に付されており、
前記吸収性本体の縦方向に沿う両側縁のうちの少なくとも一方の側縁の近傍において、前記淡色部と前記濃色部とが該一方の側縁に沿って交互に配され、且つ隣り合う該淡色部と該濃色部とで、該一方の側縁の延びる方向に沿った長さを比べた場合に、該濃色部の方が該淡色部よりも該長さが長いパンツ型使い捨ておむつを提供するものである。
【発明の効果】
【００１１】
本発明によれば、外観が良好で、且つ着用者の身体に対する位置合わせや吸収性パッドの位置合わせが容易に行えるパンツ型使い捨ておむつが提供される。
【図面の簡単な説明】
【００１２】
【図１】図１は、本発明のパンツ型使い捨ておむつの一実施形態を模式的に示す斜視図である。
【図２】図２は、図１に示すおむつの展開且つ伸長状態における肌対向面側を一部破断して模式的に示す展開平面図である。
【図３】図３は、図１に示すおむつを模式的に示す分解斜視図である。
【図４】図４は、図２のＩ−Ｉ線断面、即ちウエスト部及びその近傍の断面を模式的に示す断面図である。
【図５】図５は、図１に示すおむつの要部の説明図であり、吸収性本体と外包体に付された図柄との関係を示す、該おむつの肌対向面側の一部の模式的な平面図である。
【図６】図６は、本発明の他の実施形態の図５相当図である。
【図７】図７は、本発明に係る外包体に付された図柄の他の実施形態を示す平面図である。
【図８】図８は、本発明に係る外包体に付された図柄のさらに他の実施形態を示す平面図である。
【図９】図９は、本発明に係る外包体に付された図柄のさらに他の実施形態を示す平面図である。
【図１０】図１０は、本発明に係る外包体に付された図柄のさらに他の実施形態を示す平面図である。
【図１１】図１１は、本発明に係る外包体に付された図柄のさらに他の実施形態を示す平面図である。
【図１２】図１２は、本発明に係る外包体に付された図柄のさらに他の実施形態を示す平面図である。
【図１３】図１３は、本発明に係る外包体に付された図柄のさらに他の実施形態を示す平面図である。
【図１４】図１４は、本発明に係る外包体に付された図柄のさらに他の実施形態を示す平面図である。
【発明を実施するための形態】
【００１３】
以下本発明を、その好ましい実施形態に基づき図面を参照しながら説明する。図１〜図４には、本発明のパンツ型使い捨ておむつの一実施形態であるおむつ１の基本構成が示されている。おむつ１は、着用状態において着用者の腹側に配される腹側部Ａ、背側に配される背側部Ｃ、及びそれらの間に位置して着用者股間部に配される股下部Ｂを有していると共に、縦方向Ｘとこれに直交する横方向Ｙとを有している。おむつ１の縦方向Ｘは、腹側部Ａと背側部Ｃとの間を股下部Ｂを介して延びる方向であり、吸収性本体２の長手方向に一致する。股下部Ｂは、外包体３の縦方向Ｘに沿う両側縁部にレッグ開口部ＬＨ，ＬＨ形成用の凹欠部（レッグ縁部１０，１０）が形成されている領域である。
【００１４】
おむつ１は、吸収性本体２と、該吸収性本体２の非肌対向面側に配されて該吸収性本体２を固定している外包体３とを備えている。外包体３は、図２に示す如きおむつ１の展開且つ伸長状態のおむつ１の外形を形作っており、外包体３の周縁は、その状態のおむつ１の輪郭線を形成している。おむつ１の「展開且つ伸長状態」とは、おむつ１をサイドシール部で切り離して展開状態とし、その展開状態のおむつ１を各部の弾性部材を伸長させて設計寸法（弾性部材の影響を一切排除した状態で平面状に広げたときの寸法と同じ）となるまで拡げた状態をいう。本明細書において、肌対向面は、おむつ１及びその構成部材（例えば外包体３）における、着用状態において着用者の肌側に向けられる面（着用者の肌に近い側）であり、非肌対向面は、おむつ１及びその構成部材における、着用状態において着用者の肌側とは反対側に向けられる面（相対的に肌対向面よりも肌から遠い側）である。
【００１５】
吸収性本体２は、図２に示すように平面視矩形形状を有しており、その長手方向を展開且つ伸長状態におけるおむつ１の縦方向Ｘに一致させて、外包体３の中央部に接着剤により接合されている。吸収性本体２は、肌対向面を形成する液透過性の表面シート２１、非肌対向面を形成する液不透過性若しくは液難透過性又は撥水性の裏面シート２２、及び両シート２１，２２間に介在配置された液保持性の吸収体２３を有しており、これらが接着剤等の公知の接合手段により一体化されて構成されている。表面シート２１及び裏面シート２２としては、それぞれ、この種の吸収性物品に従来用いられている各種のものを特に制限なく用いることができる。例えば、表面シート２としては各種の不織布や開孔フィルム等を用いることができ、裏面シート３としては樹脂フィルムや、樹脂フィルムと不織布等とのラミネート等を用いることができる。吸収体２３としては、例えば、吸水性ポリマーの粒子及びパルプ繊維等の繊維材料の少なくとも１種を含む吸収性コアを用いることができ、該吸収性コアは、その表面が紙、不織布等のコアラップシートで被覆されていても良い。
【００１６】
吸収性本体２の肌対向面における縦方向Ｘに沿う左右両側には、図２に示すように、液抵抗性又は撥水性で且つ通気性のシート材から構成された側方カフス２４，２４が設けられている。各側方カフス２４の自由端部の近傍には糸状の側方カフス弾性部材２５が１本以上伸長状態で配されている。各側方カフス２４は、伸長状態で配された側方カフス弾性部材２５がおむつ１の着用状態において収縮することによって起立し、液の側方への流出を阻止する。
【００１７】
外包体３は、図２に示すように、その縦方向Ｘに沿う両側縁が股下部Ｂにおいて内向きの円弧状に湾曲して一対のレッグ縁部１０，１０を形成しており、図２に示す如き平面視において、縦方向Ｘの中央域が横方向Ｙの内方に向けて括れた砂時計状の形状を有している。外包体３は、腹側部Ａにおける縦方向Ｘに沿う両側縁部Ａ１，Ａ２と背側部Ｃにおける縦方向Ｘに沿う両側縁部Ｃ１，Ｃ２とが、接着剤、ヒートシール、超音波シール等の公知の接合手段によって互いに接合されており、その接合によって、図１に示すように、おむつ１に一対のサイドシール部Ｓ，Ｓが形成され、また、ウエスト開口部ＷＨ及び一対のレッグ開口部ＬＨ，ＬＨが形成されている。
【００１８】
外包体３は、図３及び図４に示すように、外層シート３１と内層シート３２との積層体を含んで構成されている。おむつ１の着用状態において、外層シート３１は着用者の身体から遠い側に位置し、おむつ１の非肌対向面（外面）を形成し、内層シート３２は、着用者の身体に近い側に位置し、おむつ１の肌対向面（内面）を形成する。外層シート３１と内層シート３２とはそれらの厚み方向に隣接している。外層シート３１と内層シート３２との間は、所定の部位において接着剤によって接合されている。外層シート３１は、内層シート３２と同形状・同寸法の部分に加えて更に、両シート３１，３２を積層した際に内層シート３２の腹側部Ａ側の縦方向Ｘの端部から外方に延出する腹側延出部３１Ｅと、内層シート３２の背側部Ｃ側の縦方向Ｘの端部から外方に延出する背側延出部３１Ｅとを有している。外層シート３１の両延出部３１Ｅ，３１Ｅは、それぞれ、図２に示すように、内層シート３２上に配置固定された吸収性本体２の縦方向Ｘの両端部を覆うように、内層シート３２側に折り返され、接着剤によって、両延出部３１Ｅ，３１Ｅと対向するおむつ１の他の構成部材（内層シート３２、吸収性本体２、側方カフス２４）に固定されている。外層シート３１及び内層シート３２としては、それぞれ、この種の吸収性物品において外包体として従来用いられている各種のものを特に制限なく用いることができ、例えば、各種製法による地色が白色である不織布（スパンボンド不織布、エアスルー不織布、ニードルパンチ不織布等）が挙げられる。
【００１９】
図２に示すように、腹側部Ａ及び背側部Ｃそれぞれにおけるウエスト部Ｄには、１本又は複数本のウエストギャザー形成用のウエスト弾性部材１１が横方向Ｙに伸長状態で配されている。ウエスト弾性部材１１は、ウエスト部Ｄの横方向Ｙの略全長に亘って延びている。ウエスト部Ｄは、着用者の腰回りに位置する部位であり、通常、おむつ１の腹側部Ａ側又は背側部Ｃ側の縦方向Ｘの端部からおむつ１の縦方向Ｘの全長の１〜１５％の長さまでの領域である。これによってウエスト開口部ＷＨ（図１参照）には、その全周に亘って実質的に連続した環状のウエストギャザーが形成されている。また、股下部Ｂの縦方向Ｘに沿う両側部（レッグ縁部）１０，１０それぞれには、１本又は複数本のレッグギャザー形成用のレッグ弾性部材１２が伸長状態で配されている。これによって一対のレッグ開口部ＬＨ，ＬＨ（図１参照）それぞれの開口縁部であるレッグ縁部１０には、その全周に亘って実質的に連続した環状のレッグギャザーが形成されている。レッグ弾性部材１２は、少なくとも吸収性本体２の縦方向Ｘに沿う両側縁よりも横方向Ｙの外方の部位に弾性伸縮性が発現されるように伸長状態で配されており、且つ吸収性本体２が存在する部位の少なくとも横方向Ｙの中央部には弾性伸縮性が発現される状態では配されていない。また、図示していないが、腹側部Ａ及び背側部Ｃそれぞれにおける、ウエスト部Ｄと股下部Ｂとの間に位置する胴周り部Ｅには、１本又は複数本の胴周りギャザー形成用の胴周り弾性部材が横方向Ｙに伸長状態で配されていても良い。ウエスト弾性部材１１及びレッグ弾性部材１２並びに前記胴周り弾性部材は、それぞれ、外包体３を構成する外層シート３１と内層シート３２との間に接着剤等の接合手段により挟持固定される。
【００２０】
図１〜図３に示すように、外包体３には、相対的に色の薄い淡色部と相対的に色の濃い濃色部とを含んで構成される図柄４０が付されている。図中の図柄４０には、色の濃さの異なる３種類の部分が混在しており、そのうちの最も色の薄い部分（後述する非着色部４１）は淡色部、最も色の濃い部分（後述する第１直線４３と第２直線４４との交差部４５）は濃色部である。また、これらの中間の色濃度を有する部分、即ち、第１直線４３又は第２直線４４における交差部４５以外の部分（非交差部）は、これらと対比する部分によって淡色部にも濃色部にもなり得る。両直線４３，４４及び交差部４５は、何れも外包体３を構成するシート（内層シート３２）に印刷が施された着色部４２である。
【００２１】
図柄４０は、少なくとも外包体３の肌対向面側、即ちおむつ１の内側から目視により視認可能に付されている（図２及び図３参照）。本実施形態における図柄４０は、外包体３の肌対向面側のみならず、外包体３の非肌対向面側、即ちおむつ１の外側からも目視により視認可能に付されている（図１参照）。
【００２２】
図柄４０は、図２及び図３に示すように、一方向、具体的には縦方向Ｘ（吸収性本体２の長手方向）に延びる第１直線４３と、該一方向に交差する方向、具体的には横方向Ｙ（吸収性本体２の幅方向）に延びる第２直線４４とをそれぞれ複数含むと共に、両直線４３，４４の交差部４５を複数含んでおり、いわゆる格子柄である。複数の第１直線４３は横方向Ｙに等間隔に配されており、複数の第２直線４４は縦方向Ｘに等間隔に配されている。両直線４３，４４共に、その長さ方向の全長に亘って幅（長さ方向と直交する方向の長さ）が一定であり、また、両直線４３，４４それぞれの幅は互いに同じである。各交差部４５は平面視正方形形状をなしており、４つの角部４５Ｃ（図５参照）を有している。
【００２３】
図柄４０は、外包体３、より具体的には、外包体３を構成する内層シート３２の非肌対向面３２ｂに、両直線４３，４４を印刷することによって形成されている。両直線４３，４４及びそれらの交差部４５は、何れも印刷インクが付着した着色部４２であり、外包体３におけるこれら以外の部分、即ち、両直線４３，４４で包囲された平面視四角形形状の部分は非着色部４１（淡色部）であり、外包体３（内層シート３２の非肌対向面３２ｂ）の地色がそのまま残っている部分である。本実施形態においては、外包体３を構成するシートは不織布であり、その外包体３（内層シート３２の非肌対向面３２ｂ）の地色は白色である。したがって、本実施形態において、非着色部４１（淡色部）は白色となっている。第１直線４３と第２直線４４とは、互いに色（色相、明度及び彩度）が同じである。一方、両直線４３，４４の交差部４５は、両直線４３，４４を形成するための印刷が重ねて行われている部分であるため、図柄４０の構成要素の中では最も印刷インクの付着量が多く、そのため、両直線４３，４４それぞれにおける交差部４５以外の部分（非交差部）とは、色相は同じであるが明度及び／又は彩度が異なる。
【００２４】
本実施形態においては、図１〜図３に示すように、外包体３の全面、より具体的には、内層シート３２の非肌対向面３２ｂの全域に図柄４０が付されている。即ち本実施形態においては、図２に示す如く外包体３をその肌対向面側から目視した場合に、その肌対向面の全域に図柄４０が付されていることを視認でき、さらに図１に示す如く、図柄４０が外包体３の非肌対向面側からも目視により視認可能に付されている場合には、その非肌対向面の全域にも図柄４０が付されていることを視認できる。図柄４０が外包体３の全面に付されていると、図柄４０が外包体３の一部にのみ付されている場合に比して、吸収性本体２の隠蔽効果が高まるため、着用状態のおむつ１を外部から目視したときに、通常の下着には存在せずこの種の吸収性物品に固有の部材である、吸収性本体２が目立たず、おむつ１の外観が下着らしいものとなり良好となる。
【００２５】
尚、一般に、この種のおむつの外包体には通気性を有することが求められるところ、図１〜図３に示すように外包体の全面に図柄を印刷すると、通気性の低下が懸念されムレの原因となり得る。しかし、図１〜図３に示す図柄４０はいわゆる格子柄であり、印刷インクが付着しておらず外包体本来の通気性が確保されている非着色部４１が、外包体の一面全体にバランス良く配置されているため、おむつ１ではその懸念は払拭されている。外包体３の一面に占める非着色部４１の割合〔（非着色部の総面積／外包体の一面の面積）×１００〕は、後述する図柄４０による作用効果と通気性とのバランスの観点から、好ましくは１０％以上、さらに好ましくは２０％以上、そして、好ましくは５０％以下、さらに好ましくは４０％以下、より具体的には、好ましくは１０〜５０％、さらに好ましくは２０〜４０％である。
【００２６】
本実施形態においては、図柄４０は、外包体３を構成する内層シート３２の非肌対向面３２ｂに付されており、着用者の肌と直接接触し得る内層シート３２の肌対向面３２ａや、おむつ１の外面を構成する外層シート３１には付されていない。内層シート３２の非肌対向面３２ｂは、外層シート３１との対向面であって外部に露出しないため、この非肌対向面３２ｂに図柄４０を付すことにより、図柄４０を構成する印刷インクが着用者の肌や衣類に移行してこれらを汚すという不都合、いわゆる色移りが効果的に防止される。
【００２７】
本実施形態のおむつ１の主たる特徴の１つとして、図柄４０の構成が吸収性本体２との関係において工夫されている点が挙げられる。図５は、この図柄４０の工夫を説明するための図であり、おむつ１の各部の構成の図示を一部省略している。図５に示すようにおむつ１においては、吸収性本体２の縦方向Ｘに沿う両側縁２Ｓ，２Ｓそれぞれの近傍において、淡色部である非着色部４１と濃色部である着色部４２（第２直線４４における交差部４５以外の部分）とが側縁２Ｓに沿って交互に配され、且つ縦方向Ｘに隣り合う非着色部４１と着色部４２とで、側縁２Ｓの延びる方向に沿った長さ（縦方向長さ）を比べた場合に、着色部４２の縦方向長さ４２Ｌの方が非着色部４１の縦方向長さ４１Ｌよりも長い（４２Ｌ＞４１Ｌ）。ここで、吸収性本体２の側縁２Ｓの近傍は、側縁２Ｓから横方向Ｙの外方に３０ｍｍ以内の領域を意味する。この４２Ｌ＞４１Ｌという縦方向長さの大小関係は、吸収性本体２の側縁２Ｓの近傍の任意の一部で成立していれば良く、側縁２Ｓの近傍全域で成立していなくても良いが、後述する作用効果をより確実に奏させるようにする観点から、図５に示すように、側縁２Ｓの近傍の略全域、好ましくは側縁２Ｓの全長の５０％以上の領域で、４２Ｌ＞４１Ｌという関係が成立していることが好ましい。
【００２８】
外包体３に付されている図柄４０が吸収性本体２の側縁２Ｓの近傍において図５に示す如く構成されていると、おむつ１の内部（外包体３の肌対向面側）を目視観察した場合に、吸収性本体２とその背景にある外包体３との境界線として機能する、吸収性本体２の側縁２Ｓの存在が際立つようになるため、吸収性本体２と外包体３との区別が付きやすくなる。そのため、おむつ１によれば、着用時に吸収性本体２が着用者の身体（排尿部）に対して適切な位置に配置されているかの確認や、吸収性本体２の位置調整を容易に行うことができ、また、吸収性パッドを使用する場合にはその位置合わせや位置調整も容易に行うことができ、結果として、排泄物の漏れを未然に効果的に防止することができる。特に高齢者にとっては、全体が白色の従来の使い捨ておむつにおいて吸収性本体と外包体とを一見して区別することは困難な場合が多かったが、図柄４０の如き図柄を外包体に付すことによって、高齢者にとっても使い勝手の良いパンツ型使い捨ておむつが得られる。
【００２９】
このような、図柄４０による作用効果をより確実に奏させるようにする観点から、吸収性本体２の側縁２Ｓの近傍において縦方向Ｘに隣り合う非着色部４１（淡色部）と着色部４２（濃色部）とにおいて、着色部４２の縦方向長さ４２Ｌと非着色部４１の縦方向長さ４１Ｌとの差（４２Ｌ−４１Ｌ）は、好ましくは５ｍｍ以上、そして、好ましくは１００ｍｍ以下である。
【００３０】
また同様の観点から、吸収性本体２の側縁２Ｓの近傍において、着色部４２（濃色部）の縦方向長さ４２Ｌ（図５参照）は、好ましくは１０ｍｍ以上、さらに好ましくは１５ｍｍ以上、そして、好ましくは１００ｍｍ以下、さらに好ましくは９０ｍｍ以下、より具体的には、好ましくは１０〜１００ｍｍ、さらに好ましくは１５〜９０ｍｍである。また、吸収性本体２の側縁２Ｓの近傍において、非着色部４１（淡色部）の縦方向長さ４１Ｌ（図５参照）は、好ましくは８ｍｍ以上、さらに好ましくは１０ｍｍ以上、そして、好ましくは９０ｍｍ以下、さらに好ましくは８５ｍｍ以下、より具体的には、好ましくは８〜９０ｍｍ、さらに好ましくは１０〜８５ｍｍである。
【００３１】
図５に示すように、図柄４０における吸収性本体２の側縁２Ｓの近傍においては、複数の交差部４５それぞれの角部４５Ｃが該側縁２Ｓに沿って並んでいる。このように、吸収性本体２の側縁２Ｓの近傍、好ましくは側縁２Ｓから横方向Ｙの外方に３０ｍｍ以内の領域において、複数の角部４５Ｃが側縁２Ｓに沿って縦方向Ｘに直線状に並んでいると、例えば、吸収性パッドを吸収性本体２に重ねて配置する場合に、それら複数の角部４５Ｃによる列（第１直線４３の側縁）を目印として吸収性パッドを適切な位置に配置することが可能となり、吸収性パッドの位置合わせがより一層容易になる。図柄４０においては図５に示すように、複数の角部４５Ｃによる列が、吸収性本体２の側縁２Ｓに沿って該側縁２Ｓの全長に亘って延びているため、吸収性パッドの位置合わせが特に行いやすい。また、図柄４０における角部４５Ｃは、２本の直線４３，４３が交差することによって形成されているため、外包体３が前記各種ギャザーで伸縮された状態でも目視による視認性に優れる。
【００３２】
また、図５に示すように、吸収性本体２の側縁２Ｓの近傍に配された図柄おいて、縦方向Ｘに隣り合う１個の非着色部４１（淡色部）と１個の着色部４２（濃色部）とを基本図柄要素４６と画定したとき、基本図柄要素４６は、該側縁２Ｓに沿って複数連なるように配されている。このように、吸収性本体２の側縁２Ｓの近傍に、基本図柄要素４６の繰り返しパターンからなる規則性のある図柄が存在すると、その図柄との対比において側縁２Ｓの存在が一層際立つようになるため、目視による吸収性本体２の位置確認がより一層容易になる。また、吸収性パッドを吸収性本体２に重ねて配置する場合には、吸収性本体２の側縁に沿って並ぶ複数の基本図柄要素４６の１つ１つ、あるいは各基本図柄要素４６を構成する非着色部４１（淡色部）及び着色部４２（濃色部）の１つ１つが、吸収性本体２の位置や大きさを示す、目盛りとして機能し得るため、吸収性パッドの位置合わせをより一層容易に行うことができる。この基本図柄要素の目盛りとしての機能は、主として、横方向Ｙに延びて吸収性本体２の側縁２Ｓと直交する第２直線４４の存在によるものであり、外包体に付される図柄は、第２直線４４の如き、「吸収性本体の縦方向の側縁と直交する直線」を複数含んで構成されていることが好ましいと言える。
【００３３】
このような、基本図柄要素４６の繰り返しパターンによる作用効果をより確実に奏させるようにする観点から、吸収性本体２の側縁２Ｓの近傍に位置する基本図柄要素４６の数は、好ましくは１０個以上、そして、好ましくは１５個以下である。ここで、「吸収性本体の側縁の近傍に位置する基本図柄要素の数」は、全体が該側縁に沿っている基本図柄要素の数であり、一部のみが該側縁に沿っている基本図柄要素は含めない。例えば、図１に示す形態においては、吸収性本体２の側縁２Ｓの近傍に位置する基本図柄要素４６の数は、１２個である。
【００３４】
以下、本発明の他の実施形態について図６〜図１４を参照して説明する。後述する他の実施形態については、図１〜図５に示した前記実施形態と異なる構成部分を主として説明し、同様の構成部分は同一の符号を付して説明を省略する。特に説明しない構成部分は、前記実施形態についての説明が適宜適用される。
【００３５】
図６に示す図柄４０Ａにおいては、第１直線４３及び第２直線４４は、それぞれ、縦方向Ｘ及び横方向Ｙの両方向に交差する方向に延びている。図柄４０Ａは、いわゆる斜め格子柄である。図６に示す実施形態においては、吸収性本体２の側縁２Ｓの近傍において、淡色部である非着色部４１と、濃色部である着色部４２、即ち、交差部４５とこれに隣接する第１直線４３又は第２直線４４における交差部４５以外の部分との組み合わせとが、側縁２Ｓに沿って交互に配され、且つ縦方向Ｘに隣り合う非着色部４１と着色部４２とで、側縁２Ｓの延びる方向に沿った長さ（縦方向長さ）を比べた場合に、着色部４２の縦方向長さ４２Ｌの方が非着色部４１の縦方向長さ４１Ｌよりも長い（４２Ｌ＞４１Ｌ）。また、吸収性本体２の一方の側縁２Ｓの近傍においては、複数の交差部４５それぞれの角部４５Ｃが該側縁２Ｓに沿って並んでいる。外包体に図柄４０Ａが付されたパンツ型使い捨ておむつによっても、前記実施形態と同様の効果が奏される。
【００３６】
図７に示す図柄４０Ｂは、縦方向Ｘに延びる２種類の第１直線４３１，４３２と、横方向Ｙに延びる１種類の第２直線４４とをそれぞれ複数含むと共に、第１直線４３１と第２直線４４との交差部４５１、及び第１直線４３２と第２直線４４との交差部４５２をそれぞれ複数含んでおり、いわゆる格子柄の一種である。これらの直線４３１，４３２，４４及びそれらの交差部４５１，４５２は何れも着色部４２である。図柄４０Ｂにおいて、最も色の薄い部分（淡色部）は非着色部４１であり、最も色の濃い部分（濃色部）は交差部４５１，４５２であり、これらの中間の色濃度を有する部分は、直線４３１，４３２，４４それぞれにおける交差部４５１，４５２以外の部分（非交差部）である。図７中、符号４３１Ｐは、第１直線４３１における非交差部を示す。第１直線４３１は相対的に幅広の直線であり、第１直線４３２は相対的に幅狭の直線であり、両直線４３１，４３２は横方向Ｙに所定間隔を置いて交互に配されている。図７中の点線の直線２Ｓは、図示しない吸収性本体の縦方向に沿う一側縁の位置を示している。図７に示す実施形態においては、吸収性本体の側縁２Ｓの近傍において、非交差部４３１Ｐ（淡色部）と交差部４５１（濃色部）とが側縁２Ｓに沿って交互に配され、且つ縦方向Ｘに隣り合う非交差部４３１Ｐと交差部４５１とで、側縁２Ｓの延びる方向に沿った長さ（縦方向長さ）を比べた場合に、交差部４５１の縦方向長さ４５１Ｌの方が非交差部４３１Ｐの縦方向長さ４３１ＰＬよりも長い（４５１Ｌ＞４３１ＰＬ）。図柄４０Ｂにおいては、吸収性本体２の側縁２Ｓの近傍に位置して該側縁２Ｓに沿っているのは、互いに色濃度の異なる２種類の着色部４２、即ち非交差部４３１Ｐ及び交差部４５１のみであり、非着色部４１は側縁２Ｓの近傍に位置していないので、２種類の着色部４２のうち相対的に色濃度の薄い非交差部４３１Ｐが淡色部となる。また、吸収性本体２の側縁２Ｓの近傍においては、複数の交差部４５１それぞれの角部４５Ｃが該側縁２Ｓに沿って並んでいる。外包体に図柄４０Ｂが付されたパンツ型使い捨ておむつによっても、前記実施形態と同様の効果が奏される。
【００３７】
図８に示す図柄４０Ｃは、縦方向Ｘ及び横方向Ｙの両方向に交差する方向に延びる２種類の第１直線４３１，４３２と、該第１直線４３１，４３２並びに縦方向Ｘ及び横方向Ｙそれぞれに交差する方向に延びる１種類の第２直線４４とをそれぞれ複数含むと共に、第１直線４３１と第２直線４４との交差部４５１、及び第１直線４３２と第２直線４４との交差部４５２をそれぞれ複数含んでおり、いわゆる斜め格子柄の一種である。これらの直線４３１，４３２，４４及びそれらの交差部４５１，４５２は何れも着色部４２である。図柄４０Ｃにおいて、最も色の薄い部分（淡色部）は非着色部４１であり、最も色の濃い部分（濃色部）は交差部４５１，４５２であり、これらの中間の色濃度を有する部分は、直線４３１，４３２，４４それぞれにおける交差部４５１，４５２以外の部分（非交差部）である。第１直線４３１は相対的に幅広の直線であり、第１直線４３２は相対的に幅狭の直線であり、両直線４３１，４３２は横方向Ｙに所定間隔を置いて交互に配されている。図８に示す実施形態においては、吸収性本体の側縁２Ｓの近傍において、非着色部４１（淡色部）と着色部４２（濃色部）とが側縁２Ｓに沿って交互に配され、且つ縦方向Ｘに隣り合う非着色部４１と着色部４２とで、側縁２Ｓの延びる方向に沿った長さ（縦方向長さ）を比べた場合に、着色部４２の縦方向長さ４２Ｌの方が非着色部４１の縦方向長さ４１Ｌよりも長い（４２Ｌ＞４１Ｌ）。また、吸収性本体の側縁２Ｓの近傍においては、複数の交差部４５１，４５２それぞれの角部４５Ｃが該側縁２Ｓに沿って並んでいる。外包体に図柄４０Ｃが付されたパンツ型使い捨ておむつによっても、前記実施形態と同様の効果が奏される。
【００３８】
図９に示す図柄４０Ｄは、１）第１直線４３及び第２直線４４それぞれにその長さ方向に所定間隔を置いて非着色部４１からなる途切れ部が設けられていることにより、両直線４３，４４が不連続線となっている点、及び２）両直線４３，４４の交差部４５は印刷が重ねて行われておらず、両直線４３，４４における交差部４５以外の部分（非交差部）と同じ色である点で、図５に示す図柄４０と異なる。図柄４０Ｄは、いわゆる途切れ格子柄である。図９に示す実施形態においては、吸収性本体の側縁２Ｓの近傍において、非着色部４１（淡色部）と着色部４２（濃色部）とが側縁２Ｓに沿って交互に配され、且つ縦方向Ｘに隣り合う非着色部４１と着色部４２とで、側縁２Ｓの延びる方向に沿った長さ（縦方向長さ）を比べた場合に、着色部４２の縦方向長さ４２Ｌの方が非着色部４１の縦方向長さ４１Ｌよりも長い（４２Ｌ＞４１Ｌ）。また、吸収性本体の側縁２Ｓの近傍においては、複数の交差部４５の角部４５Ｃが該側縁２Ｓに沿って並んでいる。外包体に図柄４０Ｄが付されたパンツ型使い捨ておむつによっても、前記実施形態と同様の効果が奏される。
【００３９】
図１０に示す図柄４０Ｅは、非着色部４１と着色部４２とが反転している点で、図５に示す図柄４０と異なる。即ち、図柄４０Ｅにおいては、縦方向Ｘに延びる第１直線４３及び横方向Ｙに延びる第２直線４４並びにそれらの交差部４５は、何れも印刷が施されておらず、外包体３（内層シート３２の非肌対向面３２ｂ）の地色がそのまま残っている非着色部４１（淡色部）であり、外包体３におけるこれら以外の部分は、印刷が施された着色部４２（濃色部）である。図柄４０Ｅは、いわゆる白線格子柄である。図１０に示す実施形態においては、吸収性本体の側縁２Ｓの近傍において、非着色部４１（淡色部）と着色部４２（濃色部）とが側縁２Ｓに沿って交互に配され、且つ縦方向Ｘに隣り合う非着色部４１と着色部４２とで、側縁２Ｓの延びる方向に沿った長さ（縦方向長さ）を比べた場合に、着色部４２の縦方向長さ４２Ｌの方が非着色部４１の縦方向長さ４１Ｌよりも長い（４２Ｌ＞４１Ｌ）。また、吸収性本体の側縁２Ｓの近傍においては、複数の交差部４５の角部４５Ｃが該側縁２Ｓに沿って並んでいる。外包体に図柄４０Ｅが付されたパンツ型使い捨ておむつによっても、前記実施形態と同様の効果が奏される。
【００４０】
図１１に示す図柄４０Ｆは、非着色部４１（淡色部）である第１直線４３及び第２直線４４それぞれにその長さ方向に所定間隔を置いて着色部４２（濃色部）からなる途切れ部が設けられていることにより、両直線４３，４４が不連続線となっている点で、図１０に示す図柄４０Ｅと異なる。図柄４０Ｆは、いわゆる途切れ白線格子柄である。図１１に示す実施形態においては、吸収性本体の側縁２Ｓの近傍において、非着色部４１（淡色部）と着色部４２（濃色部）とが側縁２Ｓに沿って交互に配され、且つ縦方向Ｘに隣り合う非着色部４１と着色部４２とで、側縁２Ｓの延びる方向に沿った長さ（縦方向長さ）を比べた場合に、着色部４２の縦方向長さ４２Ｌの方が非着色部４１の縦方向長さ４１Ｌよりも長い（４２Ｌ＞４１Ｌ）。また、吸収性本体の側縁２Ｓの近傍においては、複数の交差部４５（非着色部４１）の角部４５Ｃが該側縁２Ｓに沿って並んでいる。外包体に図柄４０Ｆが付されたパンツ型使い捨ておむつによっても、前記実施形態と同様の効果が奏される。
【００４１】
図１２に示す図柄４０Ｇは、非着色部４１（淡色部）である第１直線４３及び第２直線４４が、何れも縦方向Ｘ及び横方向Ｙの両方向に交差する方向に延びている点で、図１０に示す図柄４０Ｅと異なる。図柄４０Ｇは、いわゆる斜め白線格子柄である。図１２に示す実施形態においては、吸収性本体の側縁２Ｓの近傍において、非着色部４１（淡色部）と着色部４２（濃色部）とが側縁２Ｓに沿って交互に配され、且つ縦方向Ｘに隣り合う非着色部４１と着色部４２とで、側縁２Ｓの延びる方向に沿った長さ（縦方向長さ）を比べた場合に、着色部４２の縦方向長さ４２Ｌの方が非着色部４１の縦方向長さ４１Ｌよりも長い（４２Ｌ＞４１Ｌ）。また、吸収性本体の側縁２Ｓの近傍においては、複数の交差部４５（非着色部４１）の角部４５Ｃが該側縁２Ｓに沿って並んでいる。外包体に図柄４０Ｇが付されたパンツ型使い捨ておむつによっても、前記実施形態と同様の効果が奏される。
【００４２】
図１３に示す図柄４０Ｈは、各非着色部４１（淡色部）の一部（中央部）に、着色部からなる花柄模様４２１が印刷されていると共に、各交差部４５（濃色部）の一部（中央部）に、非着色部からなる花柄模様４１１が付されている点で、図５に示す図柄４０と異なる。図１３に示す実施形態においては、吸収性本体の側縁２Ｓの近傍において、非着色部４１（淡色部）と、着色部４２である第２直線４４における交差部４５以外の部分（濃色部）とが側縁２Ｓに沿って交互に配され、且つ縦方向Ｘに隣り合う非着色部４１と着色部４２とで、側縁２Ｓの延びる方向に沿った長さ（縦方向長さ）を比べた場合に、着色部４２の縦方向長さ４２Ｌの方が非着色部４１の縦方向長さ４１Ｌよりも長い（４２Ｌ＞４１Ｌ）。また、吸収性本体の側縁２Ｓの近傍においては、複数の交差部４５の角部４５Ｃが該側縁２Ｓに沿って並んでいる。外包体に図柄４０Ｈが付されたパンツ型使い捨ておむつによっても、前記実施形態と同様の効果が奏される。
【００４３】
図１４に示す図柄４０Ｉは、横方向Ｙに延びる直線状の非着色部４１（淡色部）と横方向Ｙに延びる直線状の着色部４２（濃色部）とから構成され、これらが縦方向Ｘに交互に配されている。図柄４０Ｉにおいて、非着色部４１は相対的に幅狭の直線であり、着色部４２は相対的に幅広の直線である。図１４に示す実施形態においては、吸収性本体の側縁２Ｓの近傍において、非着色部４１と着色部４２とが側縁２Ｓに沿って交互に配され、且つ縦方向Ｘに隣り合う非着色部４１と着色部４２とで、側縁２Ｓの延びる方向に沿った長さ（縦方向長さ）を比べた場合に、着色部４２の縦方向長さ４２Ｌの方が非着色部４１の縦方向長さ４１Ｌよりも長い（４２Ｌ＞４１Ｌ）。外包体に図柄４０Ｉが付されたパンツ型使い捨ておむつによっても、前記実施形態と同様の効果が奏される。
【００４４】
以上、本発明の実施形態について説明したが、本発明は前記実施形態に制限されず、適宜変更可能である。前述した一の実施形態のみが有する部分は、すべて適宜相互に利用できる。前述した本発明の実施形態に関し、更に以下の付記を開示する。
【００４５】
＜１＞
着用者の腹側に配される腹側部及び背側に配される背側部とそれらの間に位置する股下部とを有すると共に、該腹側部から該股下部を介して該背側部に延びる縦方向とこれに直交する横方向とを有し、且つ吸収性本体と、該吸収性本体の非肌対向面側に配されて該吸収性本体を固定している外包体とを備え、前記腹側部及び前記背側部それぞれにおける該外包体の縦方向に沿う両側縁部どうしが接合されて一対のサイドシール部、ウエスト開口部及び一対のレッグ開口部が形成されているパンツ型使い捨ておむつであって、
前記外包体に、相対的に色の薄い淡色部と相対的に色の濃い濃色部とを含んで構成される図柄が、少なくとも該外包体の肌対向面側から視認可能に付されており、
前記吸収性本体の縦方向に沿う両側縁のうちの少なくとも一方の側縁の近傍において、前記淡色部と前記濃色部とが該一方の側縁に沿って交互に配され、且つ隣り合う該淡色部と該濃色部とで、該一方の側縁の延びる方向に沿った長さを比べた場合に、該濃色部の方が該淡色部よりも該長さが長いパンツ型使い捨ておむつ。
【００４６】
＜２＞
前記図柄は、一方向に延びる第１直線と該一方向に交差する方向に延びる第２直線とをそれぞれ複数含むと共に、両直線の交差部を複数含み、
前記吸収性本体の側縁の近傍において、複数の前記交差部それぞれの角部が該側縁に沿って並んでいる前記＜１＞に記載のパンツ型使い捨ておむつ。
＜３＞
前記第１直線は縦方向に、前記第２直線は横方向にそれぞれ延びている前記＜２＞に記載のパンツ型使い捨ておむつ。
＜４＞
前記第１直線及び前記第２直線は、それぞれ、縦方向及び横方向の両方向に交差する方向に延びている前記＜２＞に記載のパンツ型使い捨ておむつ。
【００４７】
＜５＞
前記吸収性本体の側縁の近傍に配された前記図柄において、縦方向に隣り合う前記淡色部と前記濃色部とを基本図柄要素と画定したとき、該基本図柄要素が該側縁に沿って複数連なるように配されており、該側縁の近傍に位置する該基本図柄要素の数が１０個以上１５個以下である前記＜１＞〜＜４＞の何れか一項に記載のパンツ型使い捨ておむつ。
＜６＞
前記外包体は、着用者の身体から遠い側に位置する外層シートと着用者の身体に近い側に位置する内層シートとを含んで構成され、該内層シートの非肌対向面に前記図柄が付されている前記＜１＞〜＜５＞の何れか一項に記載のパンツ型使い捨ておむつ。
＜７＞
前記外包体全面に前記図柄が付されている前記＜１＞〜＜６＞の何れか一項に記載のパンツ型使い捨ておむつ。
【００４８】
＜８＞
前記図柄は、前記外包体に印刷が施されることによって形成されており、前記濃色部は、印刷インクが付着した着色部であり、前記淡色部は、印刷インクが付着していない非着色部である前記＜１＞〜＜７＞の何れか一項に記載のパンツ型使い捨ておむつ。
＜９＞
前記外包体の一面に占める前記非着色部の割合〔（非着色部の総面積／外包体の一面の面積）×１００〕は、好ましくは１０％以上、さらに好ましくは２０％以上、そして、好ましくは５０％以下、さらに好ましくは４０％以下、より具体的には、好ましくは１０〜５０％、さらに好ましくは２０〜４０％である前記＜８＞に記載のパンツ型使い捨ておむつ。
＜１０＞
前記吸収性本体の縦方向に沿う側縁の全長の５０％以上の領域で、前記濃色部（着色部）の方が前記淡色部（非着色部）よりも縦方向長さが長い前記＜１＞〜＜９＞の何れか一項に記載のパンツ型使い捨ておむつ。
＜１１＞
前記前記吸収性本体の縦方向に沿う側縁の近傍の全域で、前記濃色部（着色部）の方が前記淡色部（非着色部）よりも縦方向長さが長い前記＜１＞〜＜９＞の何れか一項に記載のパンツ型使い捨ておむつ。
【００４９】
＜１２＞
前記吸収性本体の縦方向に沿う側縁の近傍において縦方向に隣り合う前記淡色部（非着色部）と前記濃色部（着色部）とにおいて、該濃色部の縦方向長さと該淡色部の縦方向長さとの差は、５ｍｍ以上１００ｍｍ以下である前記＜１＞〜＜１１＞の何れか一項に記載のパンツ型使い捨ておむつ。
＜１３＞
前記吸収性本体の縦方向に沿う側縁の近傍において、前記濃色部（着色部）の縦方向長さは、好ましくは１０ｍｍ以上、さらに好ましくは１５ｍｍ以上、そして、好ましくは１００ｍｍ以下、さらに好ましくは９０ｍｍ以下、より具体的には、好ましくは１０〜１００ｍｍ、さらに好ましくは１５〜９０ｍｍである前記＜１＞〜＜１２＞の何れか一項に記載のパンツ型使い捨ておむつ。
＜１４＞
前記吸収性本体の縦方向に沿う側縁の近傍において、前記淡色部（非着色部）の縦方向長さは、好ましくは８ｍｍ以上、さらに好ましくは１０ｍｍ以上、そして、好ましくは９０ｍｍ以下、さらに好ましくは８５ｍｍ以下、より具体的には、好ましくは８〜９０ｍｍ、さらに好ましくは１０〜８５ｍｍである前記＜１＞〜＜１３＞の何れか一項に記載のパンツ型使い捨ておむつ。
【００５０】
＜１５＞
前記図柄は格子柄である前記＜１＞〜＜１４＞の何れか一項に記載のパンツ型使い捨ておむつ。
＜１６＞
前記図柄は斜め格子柄である前記＜１＞〜＜１４＞の何れか一項に記載のパンツ型使い捨ておむつ。
＜１７＞
前記図柄は途切れ格子柄である前記＜１＞〜＜１４＞の何れか一項に記載のパンツ型使い捨ておむつ。
【符号の説明】
【００５１】
１  パンツ型使い捨ておむつ（吸収性物品）
２  吸収性本体
２１  表面シート
２２  裏面シート
２３  吸収性コア
３  外包体
３１  外層シート
３２  内層シート
３２ａ  内層シートの肌対向面
３２ｂ  内層シートの非肌対向面
４０，４０Ａ，４０Ｂ，４０Ｃ，４０Ｄ，４０Ｅ，４０Ｆ，４０Ｇ，４０Ｈ，４０Ｉ  図柄
４１  非着色部
４１１  花柄模様（非着色部）
４２  着色部
４２１  花柄模様（着色部）
４３，４３１，４３２  第１直線
４４  第２直線
４５，４５１，４５２  第１直線と第２直線との交差部
４５Ｃ  交差部の角部
４６  基本図柄要素
Ａ  腹側部
Ｂ  股下部
Ｃ  背側部
Ｘ  縦方向
Ｙ  横方向
【図１】
0006324281.tif 000002
【図２】
0006324281.tif 000003
【図３】
0006324281.tif 000004
【図４】
0006324281.tif 000005
【図５】
0006324281.tif 000006
【図６】
0006324281.tif 000007
【図７】
0006324281.tif 000008
【図８】
0006324281.tif 000009
【図９】
0006324281.tif 000010
【図１０】
0006324281.tif 000011
【図１１】
0006324281.tif 000012
【図１２】
0006324281.tif 000013
【図１３】
0006324281.tif 000014
【図１４】
0006324281.tif 000015